(57)【要約】【課題】周囲の騒音が大きい環境であっても、また、手があいていなくても、目の前にいる人の声を聞き取りやすくする集音装置を提供する。【解決手段】人体の頭部もしくは首部または耳部のいずれかに掛止されるハンガー部と、前記ハンガー部上の前記耳部近傍にて支持され、前方開口部から入射する音を反射させて人体の耳穴に導く音響反射部材と、を有することを特徴とする。これにより、使用者の前方から音を選択的に集音するため、目の前にいる人の声が聞き取りやすくなる。また、ハンガー部によって頭部，首部あるいは耳部のいずれかに掛止されることが可能であるため、使用者の手があいている必要がなく、注文の受付などの作業を続行できる。【選択図】図１
0003118934.tif 000002
【実用新案登録請求の範囲】
【請求項１】
人体の頭部もしくは首部または耳部のいずれかに掛止されるハンガー部と、
前記ハンガー部上の前記耳部近傍にて支持され、前方開口部から入射する音を反射させて人体の耳穴に導くと共に、前記前方開口部以外の方向からの音を遮る音響反射部材と、
を有することを特徴とする集音装置。
【請求項２】
前記音響反射部材は、Ｕ字状の前記ハンガー部の両端に設けられている、
ことを特徴とする請求項１記載の集音装置。
【考案の詳細な説明】
【技術分野】
【０００１】
本考案は、ヘッドホン型あるいはイヤホン型であって人体に装着可能な集音装置に関する。
【背景技術】
【０００２】
周囲の騒音があまりに大きいと、目の前にいる相手の声が聞き取りづらく、会話が困難になる場合がある。
たとえば、多人数が大声で話している店内、あるいは、大音量で音楽が流れている店内の店員などは、顧客の注文を正確に聞き取ることが困難な場合が多い。
【０００３】
なお、本件出願の出願人が調査したところ、このような場合に適した器具や装置は存在しておらず、先行技術となる文献などは存在していないことが明らかになった。
【考案の開示】
【考案が解決しようとする課題】
【０００４】
このような状況において、店員は、左手に注文書を持ち右手に筆記具を持っている、あるいは、左手に注文受付装置を持ち右手にスタイラスペンを持っているため、手を耳にあてて客の注文を聞き取りやすくするといった行動をとることもできない。このため、何度も聞き直したり、あるいは、客に大きな声を出してもらうなど、不便な状況にあった。
【０００５】
本考案は、以上のような課題を解決するためになされたものであって、周囲の騒音が大きい環境であっても、また、手があいていなくても、目の前にいる人の声を聞き取りやすくする集音装置を提供することを目的とする。
【課題を解決するための手段】
【０００６】
以上の課題を解決する本考案は、以下に記載するようなものである。
（１）請求項１記載の考案は、人体の頭部もしくは首部または耳部のいずれかに掛止されるハンガー部と、前記ハンガー部上の前記耳部近傍にて支持され、前方開口部から入射する音を反射させて人体の耳穴に導くと共に、前記前方開口部以外の方向からの音を遮る音響反射部材と、を有することを特徴とする集音装置である。
【０００７】
（２）請求項２記載の考案は、前記音響反射部材は、Ｕ字状の前記ハンガー部の両端に設けられている、ことを特徴とする請求項１記載の集音装置である。
【考案の効果】
【０００８】
以上の考案では、以下のような効果が得られる。
（１）請求項１記載の考案では、ハンガー部によって使用者の頭部もしくは首部または耳部のいずれかに集音装置が掛止され、このハンガー部上の前記耳部近傍にて支持された音響反射部材によって、前方開口部から入射する音が使用者の耳に集められる。また、音響反射部材は、前方開口部から入射する音を反射させて人体の耳穴に導くと共に、前記前方開口部以外の方向からの音を遮断もしくは反射による拡散によって遮る。
【０００９】
この結果、周囲の騒音が大きい環境であっても、使用者の前方から音を選択的に集音するため、目の前にいる人の声が聞き取りやすくなる。また、ハンガー部によって頭部，首部あるいは耳部に装着することが可能であるため、使用者の手があいている必要がなく、注文の受付などの作業を続行することができる。
【００１０】
（２）請求項２記載の考案では、上記（１）において、音響反射部材は、Ｕ字状のハンガー部の両端に設けられている。このため、ハンガー部を介して使用者の両方の耳に音響反射部材が装着され、この音響反射部材によって、前方以外の方向からの音を遮断もしくは拡散させつつ、前方開口部から入射する音が使用者の両方の耳に集められる。
【００１１】
この結果、周囲の騒音が大きい環境であっても、使用者の前方から音を選択的に集音するため、目の前にいる人の声が聞き取りやすくなる。また、ハンガー部によって頭部，首部あるいは耳部に装着することが可能であるため、使用者の手があいている必要がなく、注文の受付などの作業を続行することができる。
【考案を実施するための最良の形態】
【００１２】
以下、図面を参照して本考案を実施するための最良の形態（以下、実施形態）を詳細に説明する。
〈第１実施形態〉
図１は本考案の第１実施形態として、ヘッドバンド式ヘッドホン型の集音装置１００の外観構成を示す説明図である。また、図２は、ヘッドホン型の集音装置１００を、使用者２００が装着した様子を示す説明図である。更に、図３は、ヘッドホン型の集音装置１００の動作原理を示す説明図である。
【００１３】
ここでは、ヘッドホン型の集音装置１００は、使用者２００の頭部に掛止するためのハンガー部を構成する逆Ｕ字状に構成されたヘッドバンド部１１０と、このヘッドバンド部１１０の端部に設けられ、前方開口部から入射する音を反射させて使用者２００の耳部２１０に導く音響反射部材１２０Ｒ，１２０Ｌと、音響反射部材１２０Ｒ，１２０Ｌが使用者２００に接する部分にクッション部材として設けられたイヤーパッド部１３０Ｒ，１３０Ｌと、で構成されている。
【００１４】
なお、音響反射部材１２０Ｒ，１２０Ｌは、図３に示すように、使用者２００に装着された状態で、その前方となる方向に、前方開口部を有し、この前方開口部から入射する音を反射させて、使用者２００の耳穴に導くように、パラボラ状あるいは球面状の曲面を有する状態で構成されている。
【００１５】
また、この音響反射部材１２０Ｒ，１２０Ｌは、図３に示すように、使用者２００に装着された状態で、前方開口部以外の方向からの音を、遮断もしくは反射により拡散する機能を有している。
【００１６】
なお、ここでは、音響反射部材１２０Ｒ，１２０Ｌは、ドーム状の半球をさらに半分にしたもの、すなわち、球を約１／４にした形状のものを用いているが、この形状に限定されるものではなく、前方開口部から入射する音を反射させて、使用者２００の耳穴に導くことが可能な各種の曲面あるいは、角度の異なる複数の平面の集合体を用いることが可能である。また、この曲面として放物面を用いることで正面からの音を効率的に集音することが可能になる。
【００１７】
このように、ヘッドバンド部１１０によって使用者２００の頭部に集音装置１００が掛止され、音響反射部材１２０Ｒ，１２０Ｌによって、前方開口部から入射する音が使用者の耳２１０Ｒ，２１０Ｌに集められる結果、周囲の騒音が大きい環境であっても、使用者２００の前方から音を選択的に集音するため、使用者２００の前方からの音（前にいる人の声）が聞き取りやすくなる。
【００１８】
このため、多人数が大声で話している店内、あるいは、大音量で音楽が流れている店内の店員などが使用した場合には、顧客の注文を正確に聞き取ることが容易になる。
また、集音装置１００を頭部に掛止していることで、店員は、注文書と筆記具あるいは注文受付装置とスタイラスペンを持って両手がふさがっている状況でも何ら問題なく注文受付などの作業を続けることが可能になる。
【００１９】
なお、第１実施形態における以上の具体例では、ヘッドバンド部１１０の両端に音響反射部材１２０Ｌと１２０Ｒとが配置されていたが、これに限定されるものではなく、ヘッドバンド部１１０の一方の端部に音響反射部材１２０Ｌ、あるいは、ヘッドバンド部１１０の一方の端部に音響反射部材１２０Ｒ、という構成であっても十分な効果が得られる。
【００２０】
また、音響反射部材１２０Ｒ，１２０Ｌが使用者に接する面に弾力性をもたせるか、あるいは、厚みを持たせることで、イヤーパッド部１３０Ｒ，１３０Ｌを省略することも可能である。
【００２１】
〈第２実施形態〉
図４は本考案の第２実施形態として、ネックバンド式ヘッドホン型の集音装置１００’の外観構成を示す説明図である。また、図５は、ネックバンド式ヘッドホン型の集音装置１００’を、使用者２００が装着した様子を示す説明図である。
【００２２】
ここでは、ネックバンド式ヘッドホン型の集音装置１００’は、使用者２００の後頭部あるいは後首部に掛止するためのハンガー部を構成するＵ字状に構成されたネックバンド部１１１と、このネックバンド部１１１の端部に設けられ、前方開口部から入射する音を反射させて使用者２００の耳部２１０に導く音響反射部材１２１Ｒ，１２１Ｌと、で構成されている。なお、ネックバンド部１１１と、音響反射部材１２１Ｒ，１２１Ｌとの間には連結部材１１２Ｌ，１１２Ｒが配置されている。
【００２３】
なお、音響反射部材１２１Ｒ，１２１Ｌは、図５に示すように、使用者２００に装着された状態で、その前方となる方向に、前方開口部を有し、この前方開口部から入射する音を反射させて、使用者２００の耳穴に導くように、パラボラ状あるいは球面状の曲面を有する状態で構成されている。
【００２４】
また、この音響反射部材１２１Ｒ，１２１Ｌは、第１実施形態の図３に示したように、使用者２００に装着された状態で、前方開口部以外の方向からの音を、遮断もしくは反射により拡散する機能を有している。
【００２５】
なお、ここでは、音響反射部材１２１Ｒ，１２１Ｌは、ドーム状の半球をさらに半分にしたもの、すなわち、球を約１／４にした形状のものを用いているが、この形状に限定されるものではなく、前方開口部から入射する音を反射させて、使用者２００の耳穴に導くことが可能な各種の曲面あるいは、角度の異なる複数の平面の集合体を用いることが可能である。また、この曲面として放物面を用いることで正面からの音を効率的に集音することが可能になる。
【００２６】
このように、ネックバンド部１１１によって使用者２００の頭部に集音装置１００が掛止され、音響反射部材１２１Ｒ，１２１Ｌによって、前方開口部から入射する音が使用者の耳２１０Ｒ，２１０Ｌに集められる結果、周囲の騒音が大きい環境であっても、使用者２００の前方から音を選択的に集音するため、使用者２００の前方からの音（前にいる人の声）が聞き取りやすくなる。
【００２７】
このため、多人数が大声で話している店内、あるいは、大音量で音楽が流れている店内の店員などが使用した場合には、顧客の注文を正確に聞き取ることが容易になる。
また、集音装置１００を後頭部に掛止していることで、店員は、注文書と筆記具あるいは注文受付装置とスタイラスペンを持って両手がふさがっている状況でも何ら問題なく注文受付などの作業を続けることが可能になる。
【００２８】
なお、第２実施形態における以上の具体例では、ネックバンド部１１１の両端に音響反射部材１２１Ｌと１２１Ｒとが配置されていたが、これに限定されるものではなく、ネックバンド部１１１の一方の端部に音響反射部材１２１Ｌ、あるいは、ネックバンド部１１１の一方の端部に音響反射部材１２１Ｒ、という構成であっても十分な効果が得られる。
【００２９】
また、音響反射部材１２１Ｒ，１２１Ｌが使用者２００に接する部分にクッション部材として、第１実施形態で示したイヤーパッド部１３０Ｒ，１３０Ｌと同様の部材を設けてもよい。
【００３０】
〈第３実施形態〉
図６は本考案の第３実施形態として、イヤーハンガー式ヘッドホン型の集音装置１００”の外観構成を示す説明図である。また、図７は、イヤーハンガー式ヘッドホン型の集音装置１００”を、使用者２００が装着した様子を示す説明図である。
【００３１】
ここでは、イヤーハンガー式ヘッドホン型の集音装置１００”は、イヤーハンガー式であるため、左右が別になっている。
すなわち、右耳用として、使用者２００の右の耳たぶにかけるようにして掛止するためのハンガー部を構成する耳かけ部１１３Ｒと、この耳かけ部１１３Ｒに取り付けられ、前方開口部から入射する音を反射させて使用者２００の右耳部２１０Ｒに導く音響反射部材１２２Ｒとで構成されている。
【００３２】
また、左耳用として、使用者２００の左の耳たぶにかけるようにして掛止するためのハンガー部を構成する耳かけ部１１３Ｌと、この耳かけ部１１３Ｌに取り付けられ、前方開口部から入射する音を反射させて使用者２００の左耳部２１０Ｌに導く音響反射部材１２２Ｌとで構成されている。
【００３３】
なお、音響反射部材１２２Ｒ，１２２Ｌは、図７に示すように、使用者２００に装着された状態で、その前方となる方向に、前方開口部を有し、この前方開口部から入射する音を反射させて、使用者２００の耳穴に導くように、パラボラ状あるいは球面状の曲面を有する状態で構成されている。
【００３４】
また、この音響反射部材１２２Ｒ，１２２Ｌは、第１実施形態の図３に示したように、使用者２００に装着された状態で、前方開口部以外の方向からの音を、遮断もしくは反射により拡散する機能を有している。
【００３５】
なお、ここでは、音響反射部材１２２Ｒ，１２２Ｌは、ドーム状の半球をさらに半分にしたもの、すなわち、球を約１／４にした形状のものを用いているが、この形状に限定されるものではなく、前方開口部から入射する音を反射させて、使用者２００の耳穴に導くことが可能な各種の曲面あるいは、角度の異なる複数の平面の集合体を用いることが可能である。また、この曲面として放物面を用いることで正面からの音を効率的に集音することが可能になる。
【００３６】
このように、耳かけ部１１３Ｒ，１１３Ｌによって使用者２００の耳部に集音装置１００が掛止され、音響反射部材１２２Ｒ，１２２Ｌによって、前方開口部から入射する音が使用者の耳２１０Ｒ，２１０Ｌに集められる結果、周囲の騒音が大きい環境であっても、使用者２００の前方から音を選択的に集音するため、使用者２００の前方からの音（前にいる人の声）が聞き取りやすくなる。
【００３７】
このため、多人数が大声で話している店内、あるいは、大音量で音楽が流れている店内の店員などが使用した場合には、顧客の注文を正確に聞き取ることが容易になる。
また、集音装置１００を耳部に掛止していることで、店員は、注文書と筆記具あるいは注文受付装置とスタイラスペンを持って両手がふさがっている状況でも何ら問題なく注文受付などの作業を続けることが可能になる。
【００３８】
なお、第３実施形態における以上の具体例では、イヤーハンガー式ヘッドホン型の集音装置１００”として、右用と左用の両方を示したが、いずれか一方のみを使用することが可能である。
【００３９】
また、音響反射部材１２２Ｒ，１２２Ｌが使用者２００に接する部分にクッション部材として、第１実施形態で示したイヤーパッド部１３０Ｒ，１３０Ｌと同様の部材を設けてもよい。
【００４０】
〈第４実施形態〉
以上の第１実施形態〜第３実施形態で示した集音装置の音響反射部材の内側に、小型のスピーカを配置することで、無線機あるいは受信機のヘッドホンやイヤホンとして使用しつつ、上述した集音装置としても使用することが可能である。
【００４１】
このように構成することで、無線機や受信機からの受信音声を聞きつつも、使用者２００の前方からの音（前にいる人の声）を聞き取りやすくすることが可能である。また、前方以外の周囲の騒音は反射または拡散するため、周囲の騒音が大きい環境であっても快適な状態で使用することが可能である。
【図面の簡単な説明】
【００４２】
【図１】本考案の第１実施形態のヘッドホン型の集音装置の外観構成を示す説明図である。
【図２】本考案の第１実施形態のヘッドホン型の集音装置の使用状態を示す説明図である。
【図３】本考案の実施形態のヘッドホン型の集音装置の集音動作原理を示す説明図である。
【図４】本考案の第２実施形態のヘッドホン型の集音装置の外観構成を示す説明図である。
【図５】本考案の第２実施形態のヘッドホン型の集音装置の使用状態を示す説明図である。
【図６】本考案の第３実施形態のヘッドホン型の集音装置の外観構成を示す説明図である。
【図７】本考案の第３実施形態のヘッドホン型の集音装置の使用状態を示す説明図である。
【符号の説明】
【００４３】
１００  ヘッドホン型の集音装置
１１０  ヘッドバンド
１２０Ｒ，１２０Ｌ  音響反射部材
１２１Ｒ，１２１Ｌ  音響反射部材
１２２Ｒ，１２２Ｌ  音響反射部材
１３０Ｒ，１３０Ｌ  イヤーパッド部
２００  使用者
２１０Ｒ  右耳
２１０Ｌ  左耳
【図１】
0003118934.tif 000003
【図２】
0003118934.tif 000004
【図３】
0003118934.tif 000005
【図４】
0003118934.tif 000006
【図５】
0003118934.tif 000007
【図６】
0003118934.tif 000008
【図７】
0003118934.tif 000009